(57)【要約】  薄型機械式キーボードスイッチは、ベース台（１）と、ベース台（１）上に設置されるキーキャップ（２）とを含む。前記ベース台（１）には、第１側収容溝（１１）が開設される。前記第１側収容溝（１１）には、導通モジュール（３）が設置される。前記ベース台（１）には、第２側収容溝（１２）と、第１側収容溝（１１）と第２側収容溝（１２）との間に設置される中収容溝（１３）と、ベース台（１）の上端の縁部の周囲に形成される囲み溝（１４）とがさらに開設される。前記囲み溝（１４）内には、バランスフレーム（４）が設置される。前記第２側収容溝（１２）内には、ねじりばね（５）が設置される。前記中収容溝（１３）内には、シャッター片（６）、掛け片（７）、引張ばね（８）及びガイドコア（９）が設置される。前記引張ばね（８）の一端は、ガイドコア（９）内に係止されて掛け片（７）に連結され、その他端は、バランスフレーム（４）に連結される。前記第１側収容溝（１１）と中収容溝（１３）との間には、貫通溝（１５）が開設される。前記貫通溝（１５）内には、ピストン（１０）が設置される。前記ピストン（１０）は、ガイドコア（９）と導通モジュール（３）との間に位置する。前記薄型機械式キーボードスイッチは、安定性を向上させるとともに、押圧時に優れた感触が得られ、押圧時に音声を発生してユーザーエクスペリエンスを高めることができる。
2019534534.tif 000002
【特許請求の範囲】
【請求項１】
ベース台と、ベース台上に設置されるキーキャップとを含み、
前記ベース台には、第１側収容溝が開設され、
前記第１側収容溝に導通モジュールが設置される薄型機械式キーボードスイッチであって、
前記ベース台には、第２側収容溝と、第１側収容溝と第２側収容溝との間に設置される中収容溝と、ベース台の上端の縁部の周囲に形成される囲み溝とが開設され、
前記囲み溝内には、バランスフレームが設置され、
前記第２側収容溝内には、ねじりばねが設置され、
前記中収容溝内には、シャッター片、掛け片、引張ばね及びガイドコアが設置され、
前記引張ばねの一端は、ガイドコア内に係止されて掛け片に連結され、その他端は、バランスフレームに連結され、
前記第１側収容溝と中収容溝との間には、貫通溝が開設され、
前記貫通溝内には、ピストンが設置され、
前記ピストンは、ガイドコアと導通モジュールとの間に位置することを特徴とする薄型機械式キーボードスイッチ。
【請求項２】
前記ベース台とキーキャップとの間には、蓋がさらに設置され、
前記蓋は、ねじりばね、引張ばね及び導通モジュールの上端に位置し、
前記蓋には、ガイドコアが貫通するための開口が開設されることを特徴とする請求項１に記載の薄型機械式キーボードスイッチ。
【請求項３】
前記ベース台には、固定部がさらに設置される請求項１または２に記載の薄型機械式キーボードスイッチ。
【請求項４】
前記ガイドコアの側辺かつピストンの側辺には、係止溝が開設され、
前記ガイドコアの下端には、引張ばねが挿入されるための挿入溝が開設されることを特徴とする請求項１または２に記載の薄型機械式キーボードスイッチ。
【請求項５】
前記導通モジュールは、固定片及び可動片を含み、
前記ピストンは、ガイドコアと可動片との間に位置することを特徴とする請求項１または２に記載の薄型機械式キーボードスイッチ。
【請求項６】
前記バランスフレームは、Ｘ字状フレームに形成され、Ｕ字状左ブラケット及びＵ字状右ブラケットを含み、
前記Ｕ字状左ブラケットの開口端は、Ｕ字状右ブラケットの開口端と交差して設置され、
前記Ｕ字状左ブラケットの前端固定脚及びＵ字状右ブラケットの前端固定脚は、いずれも囲み溝内に固定され、
前記Ｕ字状左ブラケットの後端固定脚及びＵ字状右ブラケットの後端固定脚は、いずれもキーキャップの下端に固定して連結されることを特徴とする請求項１または２に記載の薄型機械式キーボードスイッチ。
【発明の詳細な説明】
【技術分野】
【０００１】
本発明は、キーボードスイッチに関し、特に、薄型機械式キーボードスイッチに関する。
【背景技術】
【０００２】
電子製品を操作する際に、キーボードスイッチは入力手段として使用されることが多い。キーボードスイッチの善し悪しが入力装置の使用感を決定するため、キーボードスイッチは優れた手触り感覚や音感を備える必要がある。従来の、金属片を可動接触片とする薄型キーボードスイッチでは、スイッチの内部空間の規制によって金属片の弾力が比較的に不十分になり、押圧の手触り感覚が欠けている。製造メーカは、押圧感を向上させるために金属片の材料や形状などの様々な面を改善し続けているが、単に押圧感触の改善に過ぎなかったので、薄型キーボードスイッチの内部空間の規制によって、常に大きなキーボードスイッチのような押圧音を発生することができない。
【０００３】
また、使用中に、キーボードスイッチは安定性が悪くて、滑らかに使用されることができず、通常の使用に影響を与える。
【発明の概要】
【発明が解決しようとする課題】
【０００４】
本発明は、上記事情に基づいて成されたもので、その目的は、安定性を向上させるとともに、押圧時に優れた感触が得られ、押圧時に音声を発生してユーザーエクスペリエンスを高めることが可能な薄型機械式キーボードスイッチを提供することである。
【課題を解決するための手段】
【０００５】
上記目的を実現するために、本発明は以下の技術手段を用いる。
【０００６】
本発明の薄型機械式キーボードスイッチは、ベース台と、ベース台上に設置されるキーキャップとを含む。前記ベース台には、第１側収容溝が開設される。前記第１側収容溝には、導通モジュールが設置される。前記ベース台には、第２側収容溝と、第１側収容溝と第２側収容溝との間に設置される中収容溝と、ベース台の上端の縁部の周囲に形成される囲み溝とがさらに開設される。前記囲み溝内には、バランスフレームが設置される。前記第２側収容溝内には、ねじりばねが設置される。前記中収容溝内には、シャッター片、掛け片、引張ばね及びガイドコアが設置される。前記引張ばねの一端は、ガイドコア内に係止されて掛け片に連結され、その他端は、バランスフレームに連結される。前記第１側収容溝と中収容溝との間には、貫通溝が開設される。前記貫通溝内には、ピストンが設置される。前記ピストンは、ガイドコアと導通モジュールとの間に位置する。
【０００７】
本発明に対するさらなる改良として、前記ベース台とキーキャップとの間には、蓋がさらに設置される。前記蓋は、ねじりばね、引張ばね及び導通モジュールの上端に位置する。前記蓋には、ガイドコアが貫通するための開口が開設される。
【０００８】
本発明に対するさらなる改良として、前記ベース台には、固定部がさらに設置される。
【０００９】
本発明に対するさらなる改良として、前記ガイドコアの側辺かつピストンの側辺には、係止溝が開設される。前記ガイドコアの下端には、引張ばねが挿入されるための挿入溝が開設される。
【００１０】
本発明に対するさらなる改良として、前記導通モジュールは、固定片及び可動片を含む。前記ピストンは、ガイドコアと可動片との間に位置する。
【００１１】
本発明に対するさらなる改良として、前記バランスフレームは、Ｘ字状フレームに形成され、Ｕ字状左ブラケット及びＵ字状右ブラケットを含む。前記Ｕ字状左ブラケットの開口端は、Ｕ字状右ブラケットの開口端と交差して設置される。前記Ｕ字状左ブラケットの前端固定脚及びＵ字状右ブラケットの前端固定脚は、いずれも囲み溝内に固定される。前記Ｕ字状左ブラケットの後端固定脚及びＵ字状右ブラケットの後端固定脚は、いずれもキーキャップの下端に固定して連結される。
【発明の効果】
【００１２】
本発明は以下の顕著な効果を奏する。
１．Ｘ字状バランスフレームと引張ばねとの係合により、キーボードスイッチのバランスをより向上させ、従来の、単一のバランスロッドを用いる構造に比べてより安定になる。
２．ガイドコアで導通モジュール及びねじりばねを制御することにより、音声の発生を実現し、手触り感覚を向上させる。
３．ピストン構造により、導通モジュールの可動片が前進力のみを受けるので、可動片の変形リスクを低減させて性能をより安定にする。
【００１３】
上述したのは発明の技術手段の概要である。以下、本発明について、図面及び具体的な実施形態を参照しつつ詳しい説明を行う。
【図面の簡単な説明】
【００１４】
【図１】本発明の分解図である。
【図２】本発明のベース台の構成を示す図である。
【図３】本発明の一部の構成を示す図である。
【図４】本発明のガイドコアの構成を示す図である。
【図５】本発明に係るキーボードスイッチが自然状態にある場合の構成を示す図である。
【図６】本発明に係るキーボードスイッチが自然状態にある場合を示す断面図である。
【図７】本発明に係るキーボードスイッチが押圧されて遮断状態になった場合の構成を示す図である。
【発明を実施するための形態】
【００１５】
以下、本発明が所定の目的に達するために用いる技術手段や効果をより明確にするために、図面及び好適な実施例を参照しながら、本発明の具体的な実施形態について詳しく説明する。
【００１６】
図１〜図４は、本発明の実施例に係る薄型機械式キーボードスイッチを示す。本発明に係る薄型機械式キーボードスイッチは、ベース台１と、ベース台１上に設置されるキーキャップ２とを含む。前記ベース台１には、第１側収容溝１１が開設される。前記第１側収容溝１１には、導通モジュール３が設置される。前記ベース台１には、第２側収容溝１２と、第１側収容溝１１と第２側収容溝１２との間に設置される中収容溝１３と、ベース台１の上端の縁部の周囲に形成される囲み溝１４とがさらに開設される。前記囲み溝１４内には、バランスフレーム４が設置される。前記第２側収容溝１２内には、ねじりばね５が設置される。前記中収容溝１３内には、シャッター片６、掛け片７、引張ばね８及びガイドコア９が設置される。前記引張ばね８の一端は、ガイドコア９内に係止されて掛け片７に連結され、その他端は、バランスフレーム４に連結される。前記第１側収容溝１１と中収容溝１３との間には、貫通溝１５が開設される。前記貫通溝１５内には、ピストン１０が設置される。前記ピストン１０は、ガイドコア９と導通モジュール３との間に位置する。
【００１７】
図１に示すように、前記ベース台１とキーキャップ２との間には、蓋２０がさらに設置される。前記蓋２０は、ねじりばね５、引張ばね８及び導通モジュール３の上端に位置し、ねじりばね５、引張ばね８及び導通モジュール３を位置決めさせ、押圧時にベース台１からのねじりばね５、引張ばね８及び導通モジュール３の抜けを防ぐ。前記蓋２０には、ガイドコア９が貫通するための開口２０１が開設される。ガイドコア９は、押圧時に開口２０１内において上下動する。本実施例では、蓋２０は、プラスチック蓋を用い、各導電部材の絶縁をより良くにする。前記ベース台１には、固定部３０がさらに設置される。
【００１８】
図４に示すように、前記ガイドコア９の側辺かつピストン１０の側辺には、係止溝９１が開設される。前記ガイドコア９の下端には、引張ばね８が挿入されるための挿入溝９２が開設される。引張ばね８の一端をガイドコア９の挿入溝９２に挿入することで、ガイドコア９が引張ばね８によって上向きの復帰力を有する。これにより、押圧されるキーボードスイッチを上向きに復帰させて自然状態にする。
【００１９】
図１に示すように、前記導通モジュール３は、固定片３１及び可動片３２を含む。前記ピストン１０は、ガイドコア９と可動片３２との間に位置する。
【００２０】
図１に示すように、前記バランスフレーム４は、Ｘ字状フレームに形成され、Ｕ字状左ブラケット４１及びＵ字状右ブラケット４２を含む。前記Ｕ字状左ブラケット４１の開口端は、Ｕ字状右ブラケット４２の開口端と交差して設置される。前記Ｕ字状左ブラケット４１の前端固定脚及びＵ字状右ブラケット４２の前端固定脚は、いずれも囲み溝１４内に固定される。前記Ｕ字状左ブラケット４１の後端固定脚及びＵ字状右ブラケット４２の後端固定脚は、いずれもキーキャップ２の下端に固定して連結される。
【００２１】
図５及び図６は、キーボードスイッチが押圧されていない状態の構成を示す図である。キーキャップ２を押圧する場合には、キーキャップ２がガイドコア９及びバランスフレーム４を押して下向きに移動させ、ガイドコア９が下向きに移動することでピストン１０及びねじりばね５を移動駆動し、これにより、導通モジュール３の可動片３２を固定片３１に接触させ、キーボードスイッチのオンを実現する。図７は、キーボードスイッチが押圧されて遮断状態になった場合の構成を示す図である。キーキャップ２への押圧力が解除されると、引張ばね８の復帰力により、ガイドコア９に上向きの作用力を加えることで、押圧されているキーボードスイッチを上向きに復帰させて自然状態にするとともに、ねじりばね５が復帰力でベース台１を叩いて音声を発生し、キーボードスイッチのオフを実現する。
【００２２】
本発明の主な特徴としては、以下の通りである。
１．Ｘ字状バランスフレームと引張ばねとの係合により、キーボードスイッチのバランスをより向上させ、従来の、単一のバランスロッドを用いる構造に比べてより安定になる。
２．ガイドコアで導通モジュール及びねじりばねを制御することにより、音声の発生を実現し、手触り感覚を向上させる。
３．ピストン構造により、導通モジュールの可動片が前進力のみを受けるので、可動片の変形リスクを低減させて性能をより安定にする。
【００２３】
本発明の好適な実施例を前述の通り開示したが、これらは決して本発明を限定するものではない。本発明の上記実施例と同じまたは類似する技術特徴を用いて得られた他の構成は、本発明の保護を求める範囲内に属するものである。
【図１】
2019534534.tif 000003
【図２】
2019534534.tif 000004
【図３】
2019534534.tif 000005
【図４】
2019534534.tif 000006
【図５】
2019534534.tif 000007
【図６】
2019534534.tif 000008
【図７】
2019534534.tif 000009
【国際調査報告】
2019534534.tif 000010
2019534534.tif 000011
2019534534.tif 000012
2019534534.tif 000013